(57)【要約】【課題】エッジガイドを被記録媒体の幅に合わせて移動させる際に、エッジガイドと媒体支持部の支持面との間に被記録媒体の側縁が挟み込まれる虞を低減または回避する。【解決手段】被記録媒体Ｐを支持する媒体支持部材２３と、媒体支持部材２３に支持される被記録媒体Ｐの媒体搬送方向と交差する方向の両側縁Ｅａ、Ｅｂに接して、側縁Ｅａ、Ｅｂの位置を規制する規制部５２ａ、５２ｂを有する一対のエッジガイド５０ａ、５０ｂと、を備え、一対のエッジガイド５０ａ、５０ｂの少なくとも一方５０ａは、規制部５２ａの内側に、媒体支持部材２３の媒体支持面２３ａ上をスライド可能なスライド部５４を備え、媒体搬送方向と交差する方向に変位可能に構成されており、スライド部５４が、他方のエッジガイド５０ｂに近づく方向に変位する際に、媒体支持部材２３に支持される被記録媒体Ｐの側縁をスライド部５４上にすくい上げる媒体すくい部６０を備える。【選択図】図７
2017024824.tif 000002
【特許請求の範囲】
【請求項１】
搬送される被記録媒体を支持する媒体支持部材と、
前記媒体支持部材に支持される前記被記録媒体の媒体搬送方向と交差する方向の両側縁に接して、該側縁の位置を規制する規制部を有する一対のエッジガイドと、を備え、
一対の前記エッジガイドの少なくとも一方は、前記規制部の内側に、前記媒体支持部材の媒体支持面上をスライド可能なスライド部を備え、前記媒体搬送方向と交差する方向に変位可能に構成されており、
前記スライド部が、他方の前記エッジガイドに近づく方向に変位する際に、前記媒体支持部材に支持される被記録媒体の側縁を前記スライド部上にすくい上げる媒体すくい部を備える、
ことを特徴とする記録装置。
【請求項２】
請求項１に記載の記録装置において、前記媒体すくい部は、前記被記録媒体の側縁に接触する際に点接触する形状に形成されている、ことを特徴とする記録装置。
【請求項３】
請求項１または請求項２に記載の記録装置において、
前記媒体すくい部は、前記被記録媒体の側縁との接触開始位置となる第１媒体すくい部と、前記第１媒体すくい部に連なる第２媒体すくい部と、を備えて構成され、
前記第２媒体すくい部が、前記第１媒体すくい部と連なる位置から、前記媒体搬送方向と交差する方向に斜めに形成されている、ことを特徴とする記録装置。
【請求項４】
請求項１から請求項３のいずれか一項に記載の記録装置において、
前記媒体支持部材は、前記被記録媒体を傾斜姿勢に支持し、
前記媒体すくい部における前記被記録媒体との接触開始位置が、前記媒体支持部材の媒体搬送方向上流側に設けられている、ことを特徴とする記録装置。
【請求項５】
請求項１から請求項３のいずれか一項に記載の記録装置において、
前記媒体すくい部における前記被記録媒体との接触開始位置は、前記媒体支持部材の媒体搬送方向下流側に設けられている、ことを特徴とする記録装置。
【請求項６】
請求項１から請求項５のいずれか一項に記載の記録装置において、
前記媒体すくい部における前記被記録媒体との接触開始位置は、前記媒体支持部材の媒体支持面よりも前記媒体支持部材の背面側に設けられている、ことを特徴とする記録装置。
【請求項７】
請求項３に記載の記録装置において、前記第１媒体すくい部は、前記媒体支持部材の媒体搬送方向上流側端部よりも上流側であって、前記媒体支持部材の媒体支持面よりも前記媒体支持部材の背面側に設けられている、ことを特徴とする記録装置。
【請求項８】
請求項１から請求項７のいずれか一項に記載の記録装置において、
前記被記録媒体は、前記媒体支持部材における媒体搬送方向と交差する方向の中央部に配置されて搬送される、ことを特徴とする記録装置。
【発明の詳細な説明】
【技術分野】
【０００１】
本発明は、被記録媒体のサイズに応じて移動可能なエッジガイドを備えた記録装置に関する。
【背景技術】
【０００２】
インクジェットプリンターに代表される記録装置では、搬送される被記録媒体を支持する媒体支持部に設けられ、前記被記録媒体の幅方向の側縁をガイドするエッジガイドが、被記録媒体のサイズに応じて、前記媒体支持部の支持面に対して前記幅方向にスライド移動可能に構成される（例えば、特許文献１および特許文献２）。
【先行技術文献】
【特許文献】
【０００３】
【特許文献１】特開２００４−３３１３２２号公報
【特許文献２】特開２００６−３０６６１６号公報
【発明の概要】
【発明が解決しようとする課題】
【０００４】
ここで、前記エッジガイドを被記録媒体の側縁に近づける際に、前記エッジガイドのスライド部（例えば特許文献２における摺接部３８）と前記媒体支持部の支持面（特許文献２における載置面３１）との間に、前記被記録媒体の側縁が挟み込まれる場合があった。
【０００５】
本発明の目的は、エッジガイドを被記録媒体の幅に合わせて移動させる際に、前記エッジガイドのスライド部と媒体支持部の支持面との間に被記録媒体の側縁が挟み込まれる虞を低減または回避することにある。
【課題を解決するための手段】
【０００６】
上記課題を解決するため、本発明の第１の態様に係る記録装置は、搬送される被記録媒体を支持する媒体支持部材と、前記媒体支持部材に支持される前記被記録媒体の媒体搬送方向と交差する方向の両側縁に接して、該側縁の位置を規制する規制部を有する一対のエッジガイドと、を備え、一対の前記エッジガイドの少なくとも一方は、前記規制部の内側に、前記媒体支持部材の媒体支持面上をスライド可能なスライド部を備え、前記媒体搬送方向と交差する方向に変位可能に構成されており、前記スライド部が、他方の前記エッジガイドに近づく方向に変位する際に、前記媒体支持部材に支持される被記録媒体の側縁を前記スライド部上にすくい上げる媒体すくい部を備えることを特徴とする。
【０００７】
前記「前記規制部の内側」とは、媒体搬送方向と交差する方向において、他方のエッジガイドの規制部に近い側、すなわち媒体支持部材において被記録媒体が支持される領域側をいうものとする。  
本態様によれば、前記媒体搬送方向と交差する方向に変位可能なエッジガイドのスライド部が、被記録媒体の側縁を前記スライド部上にすくい上げる媒体すくい部を備えていることにより、前記エッジガイドを前記規制部が被記録媒体の側縁に接するように他方のエッジガイド側に移動させたときに、前記媒体すくい部が前記媒体支持部材に支持される被記録媒体の側縁をすくうので、前記エッジガイドのスライド部と前記媒体支持部の支持面との間に被記録媒体の側縁が挟み込まれる虞を低減することができる。
【０００８】
本発明の第２の態様に係る記録装置は、第１の態様において、前記媒体すくい部は、前記被記録媒体の側縁に接触する際に点接触する形状に形成されている、ことを特徴とする。
【０００９】
ここで、「点接触する」とは、前記媒体すくい部が、前記被記録媒体の側縁の辺に対してごく狭い部分で接触することである。  
本態様によれば、前記媒体すくい部が前記被記録媒体の側縁に接触して該被記録媒体をすくう際に、被記録媒体の下に入り込み易くすることができる。以って、前記スライド部と前記媒体支持部の支持面の間への被記録媒体側縁の挟み込みの虞を一層低減できる。
【００１０】
本発明の第３の態様に係る記録装置は、第１の態様または第２の態様において、前記媒体すくい部は、前記被記録媒体の側縁との接触開始位置となる第１媒体すくい部と、前記第１媒体すくい部に連なる第２媒体すくい部と、を備えて構成され、前記第２媒体すくい部が、前記第１媒体すくい部と連なる位置から、前記媒体搬送方向と交差する方向に斜めに形成されていることを特徴とする。
【００１１】
本態様によれば、前記第１媒体すくい部と連なる位置から、前記媒体搬送方向と交差する方向に斜めに形成される第２媒体すくい部により、前記第１媒体すくい部によってすくい上げた被記録媒体の側縁が、前記スライド部と前記媒体支持部材の媒体支持面との間に入り込む虞を低減し、該被記録媒体の側縁をスムースに前記スライド部上に誘うことができる。
【００１２】
本発明の第４の態様に係る記録装置は、第１の態様から第３の態様のいずれかにおいて、前記媒体支持部材は、前記被記録媒体を傾斜姿勢に支持し、前記媒体すくい部における前記被記録媒体との接触開始位置が、前記媒体支持部材の媒体搬送方向上流側に設けられている、ことを特徴とする。
【００１３】
被記録媒体が傾斜姿勢に支持される場合、前記媒体支持部材の上流側の方が、前記被記録媒体の自重によって前記媒体すくい部に対してかかる荷重が軽い。  
本態様によれば、前記媒体すくい部の媒体との接触開始位置が、前記媒体支持部材に支持される被記録媒体の自重に由来する前記媒体すくい部への荷重が軽い上流側に設けられていることにより、前記媒体すくい部がより確実に被記録媒体をすくうことができる。
【００１４】
本発明の第５の態様に係る記録装置は、第１の態様から第３の態様のいずれかにおいて、前記媒体すくい部における前記被記録媒体との接触開始位置は、前記媒体支持部材の媒体搬送方向下流側に設けられている、ことを特徴とする。
【００１５】
本態様によれば、被記録媒体の媒体搬送方向に沿う辺の長さが短く、該被記録媒体の上流側端部が、前記媒体支持部材の上流側端部にまで届かない場合でも、前記媒体すくい部によって被記録媒体をすくうことができる。
【００１６】
本発明の第６の態様に係る記録装置は、第１の態様から第５の態様のいずれかにおいて、前記媒体すくい部における前記被記録媒体との接触開始位置は、前記媒体支持部材の媒体支持面よりも前記媒体支持部材の背面側に設けられている、ことを特徴とする。
【００１７】
本態様によれば、前記媒体すくい部が、媒体支持部材の媒体支持面よりも前記媒体支持部材の背面側から被記録媒体をすくうので、一層確実に被記録媒体をすくうことができる。
【００１８】
本発明の第７の態様に係る記録装置は、第３の態様において、前記第１媒体すくい部は、前記媒体支持部材の媒体搬送方向上流側端部よりも上流側であって、前記媒体支持部材の媒体支持面よりも前記媒体支持部材の背面側に設けられている、ことを特徴とする。
【００１９】
本態様によれば、前記被記録媒体との接触開始位置となる第１媒体すくい部が、前記媒体支持部材の媒体支持面よりも前記媒体支持部材の背面側に設けられていることにより、確実に被記録媒体をすくうことができる。  
また、前記第１媒体すくい部を前記媒体支持部材の媒体搬送方向上流側端部よりも上流側に設けることにより、該第１媒体すくい部を、省スペース且つ構成簡単にして前記媒体支持部材の媒体支持面よりも前記媒体支持部材の背面側に配設することができる。
【００２０】
本発明の第８の態様に係る記録装置は、第１の態様から第７の態様のいずれかにおいて、前記被記録媒体は、前記媒体支持部材における媒体搬送方向と交差する方向の中央部に配置されて搬送される、ことを特徴とする。
【００２１】
本態様によれば、前記被記録媒体が、前記媒体支持部材における媒体搬送方向と交差する方向の中央部に配置されて搬送される、所謂、センター給紙方式の記録装置において、第１の態様から第７の態様のいずれかと同様の作用効果が得られる。
【図面の簡単な説明】
【００２２】
【図１】本発明の一実施例に係るプリンターの装置本体を表す斜視図。
【図２】（Ａ）は、図１に示すプリンターの給紙カバーと排紙カバーを開いた状態を表す斜視図、（Ｂ）は、（Ａ）の状態から更にパネルを開いた状態を表す斜視図。
【図３】図２（Ａ）に示すプリンターのａ−ａ矢視断面図。
【図４】本発明の一実施例に係るプリンターのパネルを開いた状態を表す斜視図。
【図５】本発明の一実施例に係るプリンターの媒体セット部近傍の拡大図。
【図６】図５の装置本体部を取り外した状態を表す図。
【図７】一対のエッジガイドを備えた媒体支持部材を表す斜視図。
【図８】（Ａ）は、用紙の幅方向に変位可能なエッジガイドを表す拡大斜視図、（Ｂ）は、（Ａ）を装置前面側から見た図。
【図９】図８（Ｂ）のｂ−ｂ矢視断面図。
【図１０】エッジガイドの変位機構について説明する図であり、（Ａ）は両エッジガイドが最も外側に位置した状態を示す図、（Ｂ）は左のエッジガイドが最も内側にある状態を示す図、（Ｃ）は右のエッジガイドが最も内側にある状態を示す図。
【図１１】（Ａ）は、媒体すくい部の接触開始位置が媒体支持部材の下流側にある場合を表す図、（Ｂ）は、媒体すくい部の接触開始位置が媒体支持部材の上流側と下流側にある場合を表す図である。
【図１２】（Ａ）は、媒体すくい部の接触開始位置が媒体支持部材の媒体搬送方向中央部にある場合を表す図、（Ｂ）は、（Ａ）のｃ−ｃ矢視断面図。
【図１３】図１の要部拡大断面図。
【図１４】（Ａ）は、装置本体部に設けられる排紙カバーのロック機構について説明する図、（Ｂ）は、（Ａ）の装置本体部を取り外した状態を表す図。
【図１５】（Ａ）は、図１４（Ａ）の要部拡大図、（Ｂ）は、（Ａ）を装置背面側から見た図。
【図１６】図１５（Ａ）のｄ−ｄ矢視断面図。
【発明を実施するための形態】
【００２３】
［実施例１］
まず、本発明の一実施例に係る記録装置の概略について説明する。本実施例の記録装置の一例として、インクジェット式プリンター（以下、単にプリンターと称する場合がある）を例に挙げる。  
図１は、本発明の一実施例に係るプリンターの装置本体を表す斜視図である。図２（Ａ）は、図１に示すプリンターの給紙カバーと排紙カバーを開いた状態を表す斜視図、図２（Ｂ）は、図２（Ａ）の状態から更にパネルを開いた状態を表す斜視図である。図３は、図２（Ａ）に示すプリンターのａ−ａ矢視断面図である。図４は、本発明の一実施例に係るプリンターのパネルを開いた状態を表す斜視図である。図５は、本発明の一実施例に係るプリンターの媒体セット部近傍の拡大図である。
【００２４】
図６は、図５の装置本体部を取り外した状態を表す図である。図７は、一対のエッジガイドを備えた媒体支持部材を表す斜視図である。図８（Ａ）は、用紙の幅方向に変位可能なエッジガイドを表す拡大斜視図、図８（Ｂ）は、図８（Ａ）を装置前面側から見た図である。図９は、図８（Ｂ）のｂ−ｂ矢視断面図である。図１０は、エッジガイドの変位機構について説明する図であり、図１０（Ａ）は両エッジガイドが最も外側に位置した状態を示す図、図１０（Ｂ）は左のエッジガイドが最も内側にある状態を示す図、図１０（Ｃ）は右のエッジガイドが最も内側にある状態を示す図である。
【００２５】
＜プリンターの概要＞
本発明に係る記録装置としてのインクジェットプリンター１０（以下、プリンター１０と称する）は、図１に示すように、プリンター１０の装置本体部１１、装置本体部１１の上面（＋Ｚ側の面）に設けられるパネル１４、装置本体部１１の上面の後方側を開閉する給紙カバー１６、装置本体部１１の図１における前面（＋Ｙ側の面）側に開閉する排紙カバー１８、および装置本体部１１に対して回動可能に設けられるハンドル２０、のこれらによって、その外観が構成されている。ハンドル２０は、プリンター１０を持ち運ぶ際に把持する持ち手である。また装置本体部１１は、上側を構成する本体上部１２と、下側を構成する本体下部１３と、を備えて構成されている。
【００２６】
なお、各図において示すＸ−Ｙ−Ｚ座標系はＸ方向が記録ヘッドの走査方向、Ｙ方向が装置奥行き方向である。Ｚ方向は重力方向であり、装置高さ方向を示している。また、＋Ｙ方向側を装置前面側とし、−Ｙ方向側を装置背面側とする。また、装置前面側から見て右側を＋Ｘ方向、左側を−Ｘ方向とする。また、＋Ｚ方向を装置上方（上部、上面等を含む）とし、−Ｚ方向側を装置下方（下部、下面等を含む）とする。
【００２７】
プリンター１０の上面側であって、装置背面側に近い位置には、図２（Ａ）に示すように、被記録媒体としての用紙Ｐをセットする媒体セット部２２が設けられている。給紙カバー１６を開くことによって媒体セット部２２が解放される。  
媒体セット部２２は、用紙Ｐが載置される媒体支持部材２３（図３）を備え、媒体支持部材２３には、用紙Ｐの幅方向（Ｘ軸方向）の両側縁をガイドする一対のエッジガイド５０ａ、エッジガイド５０ｂ（図５）が設けられている。一方のエッジガイド５０ａは、用紙Ｐのサイズに応じてＸ軸方向にスライド移動可能に設けられている。エッジガイド５０ａ、エッジガイド５０ｂについては後に詳述する。
【００２８】
媒体支持部材２３は用紙Ｐの支持面２３ａ（媒体支持面）が、下流側に位置する給紙ローラー３６（図３）に対して進退するように揺動可能に設けられているとともに、不図示の付勢手段によって給紙ローラー３６側に付勢されている。媒体セット部２２にセットされた用紙Ｐは、給紙ローラー３６により単位数ずつピックアップされて搬送方向下流に向けて給送される。
【００２９】
媒体セット部２２にセットされる用紙Ｐは、第１スライド板２４ａと第２スライド板２４ｂによって構成されるペーパーサポート２６によって支持される。尚、第１スライド板２４ａおよび第２スライド板２４ｂは、装置本体部１１に設けられた収納部２７（図３）に収納可能、且つ、収納部２７から引き出し可能に構成されている。
【００３０】
また図２（Ａ）及び図２（Ｂ）に示すように、装置前面側には、記録の行われた用紙Ｐが排出される用紙排出部４１が設けられている。排紙カバー１８を開くことによって用紙排出部４１が開放される。排紙カバー１８は、開状態において、装置本体部１１から排出される用紙Ｐを支持するトレイとして機能する。
【００３１】
装置本体部１１の上部に配されるパネル１４は、一対の長辺と一対の短辺とを備えており、パネル１４の上面側に各種情報等を表示する表示部２８を備えている。そして、＋Ｘ側の側面に設けられた回動軸（不図示）を中心に回動してプリンター１０の装置本体部１１の上部を開閉するように構成されている［図２（Ａ）、図２（Ｂ）、及び図４を参照］。パネル１４は回動軸に、パネル１４の開閉時にトルクを発生させて任意の角度で静止可能にする公知のフリーストップ機構を備えている。
【００３２】
また、本実施例において表示部２８は、表示部２８上の押圧された位置を検出する、所謂タッチパネルとしての機能を有し、編集内容、印刷設定内容、現在の動作ステータス等の各種情報を表示する他、各種入力操作を実行可能に構成されている。またプリンター１０は、タッチパネル方式の表示部２８による操作の他、パネル１４に設けられる操作ボタン１５ａ、操作ボタン１５ｂ（図１を参照）等により操作することができる。またプリンター１０に接続されるキーボード等の他の機器により入力操作することも可能である。プリンター１０と他の操作機器との接続は、赤外線通信等の無線による接続の他、有線での接続でもよい。
【００３３】
次に、図３を参照してプリンター１０の内部構造の概略と用紙Ｐの搬送経路を説明する。尚、図３には用紙Ｐの搬送経路が点線で示してある。  
プリンター１０において、用紙Ｐは図３の＋Ｙ方向へ搬送される構成である。尚、以下において、プリンター１０において用紙Ｐが搬送されていく媒体搬送方向（＋Ｙ方向側）を「下流」といい、これと反対の方向（−Ｙ方向側）を「上流」という。
【００３４】
装置本体部１１の内部には、用紙Ｐにインクを吐出して記録を行う記録ヘッド３０を備えたキャリッジ３２が、用紙搬送方向（＋Ｙ方向）と交差する方向（Ｘ軸方向）に往復動するように設けられている。記録ヘッド３０の底面には、記録ヘッド３０の下方側を搬送される用紙Ｐに対してインクを吐出する複数のノズル（不図示）からなるノズル列が設けられており、キャリッジ３２に搭載される液体収納体３４からノズルを介してインクが供給される。
【００３５】
用紙Ｐは、給紙ローラー３６により用紙搬送方向下流に向けて給送される。  
給紙ローラー３６により送られる用紙Ｐは、搬送駆動ローラー３８ａと搬送従動ローラー３８ｂを備えた搬送ローラー対４０によって挟圧された状態で、記録ヘッド３０の下方（−Ｚ方向側）の記録領域に搬送される。  
記録ヘッド３０と対向する側（図３における下方側）には、記録ヘッド３０の液体吐出面（底面）と用紙Ｐとの間の用紙ギャップを規定する、用紙Ｐの支持部材としてのプラテン４２が設けられている。記録ヘッド３０とプラテン４２との間において、用紙Ｐに記録ヘッド３０からインクを吐出することによって記録が実行される。
【００３６】
記録ヘッド３０の用紙搬送方向下流側には、排出駆動ローラー４４ａと排出従動ローラー４４ｂとを備える排出ローラー対４６が設けられている。  
また、記録ヘッド３０と排出ローラー対４６の間には、浮き防止部としての回転体４８を設けることができる。回転体４８は、記録ヘッド３０から排出ローラー対４６へ至る用紙Ｐの搬送経路上に、用紙Ｐの記録面と接して従動回転するよう設けられることで、用紙Ｐのプラテン４２からの浮き上がりを防止して用紙Ｐと記録ヘッド３０との距離を一定に保つ機能を果たす。
【００３７】
プラテン４２上を搬送された記録後の用紙Ｐは、排出ローラー対４６によって下流側に送られて用紙排出部４１から排出され、開状態の排紙カバー１８上に載置される。  
尚、プリンター１０は、パネル１４を開いた状態で給排紙動作、記録動作の実行が可能である。  
以上がプリンター１０の内部構造と用紙搬送経路の概略である。
【００３８】
＜エッジガイドについて＞  
次に、前述した一対のエッジガイド５０ａ、エッジガイド５０ｂについて、図５〜図９を参照して更に詳しく説明する。  
図５及び図６に示すように、エッジガイド５０ａおよびエッジガイド５０ｂはそれぞれ、媒体支持部材２３に支持される用紙Ｐの幅方向である媒体搬送方向と交差する方向（Ｘ軸方向）の両側縁Ｅａ、Ｅｂに接して、側縁の位置を規制する規制部５２ａ、規制部５２ｂ（図６）を備えている。
【００３９】
本実施例において、エッジガイド５０ａ、５０ｂは、それぞれの規制部５２ａ、５２ｂの内側に媒体支持部材２３の支持面２３ａ上をスライド可能なスライド部５４、スライド部５７を備え、用紙Ｐのサイズに応じて、媒体搬送方向と交差する方向であるＸ軸方向に変位可能に設けられている。  
また、プリンターの装置前面側から見て左側にあるエッジガイド５０ｂは、図１０（Ａ）〜図１０（Ｃ）に示すラックピニオン機構を用いた変位機構により、エッジガイド５０ａと同期してＸ軸方向に変位可能に設けられている。  
プリンター１０は、用紙Ｐを幅方向の中央部に揃える、所謂、センター給紙方式に構成されている。
【００４０】
以下において、図１０（Ａ）〜図１０（Ｃ）を参照して、エッジガイド５０ａ及びエッジガイド５０ｂの変位機構について詳しく説明する。  
エッジガイド５０ａには、エッジガイド５０ｂに向けて延びるアーム部５１ｂが形成されており、その先端にはラック部５１ａが形成されている。また同様に、エッジガイド５０ｂには、エッジガイド５０ａに向けて延びるアーム部５３ｂが形成されており、その先端にはラック部５３ａが形成されている。  
ラック部５１ａとラック部５３ａの間には、ピニオン５５が回転自在に設けられている。符号５５ａはピニオン５５においてラック部５１ａと噛合する第１ギア部、符号５５ｂはピニオン５５においてラック部５３ａと噛合する第２ギア部をそれぞれ示している。
【００４１】
エッジガイド５０ｂには、前述のようにエッジガイド５０ａと同期して、用紙Ｐの幅方向にスライド移動可能に設けられるとともに、不図示の摩擦手段によりそのスライドに摩擦抵抗が与えられている。またピニオン５５にも、不図示の摩擦手段により、その回転に摩擦抵抗が与えられている。
【００４２】
図１０（Ａ）は、エッジガイド５０ａとエッジガイド５０ｂの両方が最も外側に位置した状態であり、プリンター１０において記録可能な最大幅サイズの用紙Ｐに対応している。この状態ではラック部５１ａ、５３ａはそれぞれピニオン５５と噛合している。このときのエッジガイド５０ａの位置がＸ４、エッジガイド５０ｂの位置をＸ０である。  
この状態から、用紙Ｐの幅サイズに応じて、エッジガイド５０ａを図の左方向（エッジガイド５０ｂに近づく方向）にスライド移動させると、ラックピニオン機構が稼働し、エッジガイド５０ｂはエッジガイド５０ａに同期してエッジガイド５０ａに近づく方向（図１０の右方向）に変位する。
【００４３】
しかしながら、ラック部５１ａ、５３ａは、それぞれアーム部５１ｂ、５３ｂの一部分にのみ形成されているので、エッジガイド５０ａが所定量スライドすると、図１０（Ｂ）に示すように、ラック部５１ａ、５３ａはそれぞれピニオン５５との噛合を終了する。すなわち、この状態からエッジガイド５０ａを、更にエッジガイド５０ｂに近づく方向（図の左方向）に移動させても、エッジガイド５０ｂは同期してスライド移動しない。したがって、図１０（Ｂ）は、エッジガイド５０ｂが最も内側にある状態を示している。エッジガイド５０ａがＸ３の位置まで移動したときに、エッジガイド５０ｂはＸ１の位置まで移動する。
【００４４】
一方、エッジガイド５０ａは、ピニオン５５との噛合を終了した後も、更にエッジガイド５０ｂに近づく方向（図１０の左方向）に移動することができる。すなわち、エッジガイド５０ａは、エッジガイド５０ｂよりも用紙Ｐの幅方向へ大きく変位する。エッジガイド５０ａは、両エッジガイド５０ａ、５０ｂの間隔が、プリンター１０において記録可能な最小サイズの用紙Ｐに対応する間隔になる位置まで移動可能に構成されている、そして、その位置より更にエッジガイド５０ｂ側へは移動しないように、不図示の規制部によって移動が規制されている。図１０（Ｃ）は、エッジガイド５０ａが最も内側にある状態を示している。このときのエッジガイド５０ａの位置はＸ２である。
【００４５】
尚、符号５６は、ペーパーサポート２６とエッジガイド５０ａとの間に設けられるサブエッジガイドである。サブエッジガイド５６は、エッジガイド５０ａと同期してＸ軸方向に変位可能に構成されている。符号５８は、サブエッジガイド５６のＸ軸方向への変位をガイドするガイド部であり、ガイド部５８は、本体上部１２に取り付けられている。
【００４６】
エッジガイド５０ａのスライド部５４は、他方のエッジガイド５０ｂに近づく方向に変位する際に、媒体支持部材２３に支持される用紙Ｐの側縁Ｅａ（図５）をスライド部５４上にすくい上げる媒体すくい部６０を備えている。  
スライド部５４が媒体すくい部６０を備えていることにより、規制部５２ａが用紙Ｐの側縁Ｅａに接するように、エッジガイド５０ａを他方のエッジガイド５０ｂ側に移動させたときに、媒体すくい部６０が媒体支持部材２３に支持される用紙Ｐの側縁Ｅａをすくうので、エッジガイド５０ａのスライド部５４と媒体支持部材２３の支持面２３ａとの間に用紙Ｐの側縁Ｅａが挟み込まれる虞を低減することができる。
【００４７】
本実施形態において媒体すくい部６０は、図７に示すように、用紙Ｐの側縁Ｅａとの接触開始位置となる第１媒体すくい部６２と、第１媒体すくい部６２に連なる第２媒体すくい部６４と、を備えている。  
また第１媒体すくい部６２は、媒体支持部材２３の用紙Ｐの搬送方向上流側端部よりも上流側であって、媒体支持部材２３の支持面２３ａよりも媒体支持部材２３の背面側に設けられている。より具体的には、第１媒体すくい部６２は、図８（Ａ）及び図９に示すように先細りの斜面に形成されている。
【００４８】
用紙Ｐの側縁Ｅａとの接触開始位置となる第１媒体すくい部６２が、媒体支持部材２３の支持面２３ａよりも媒体支持部材２３の背面側に設けられていることによって、第１媒体すくい部６２が用紙Ｐをその背面側からすくうので、確実に用紙Ｐをすくうことができる。
【００４９】
また本実施形態において媒体支持部材２３は、図３に示されるように、用紙Ｐを媒体搬送方向に下る傾斜姿勢に支持する。用紙Ｐが傾斜姿勢に支持される場合、媒体支持部材２３の上流側の方が、用紙Ｐの自重によって第１媒体すくい部６２に対してかかる荷重が軽い。  
したがって、媒体すくい部６０における用紙Ｐとの接触開始位置がとなる第１媒体すくい部６２が、媒体支持部材２３に支持される用紙Ｐの自重に由来する第１媒体すくい部６２への荷重が軽い上流側に設けられていることにより、より確実に第１媒体すくい部６２が用紙Ｐをすくうことができる。
【００５０】
更に、第２媒体すくい部６４は、第１媒体すくい部６２と連なる位置から、用紙Ｐの搬送方向と交差する方向に斜めに形成されている。より具体的には、図８（Ｂ）に示すように、搬送方向上流側から下流側に向けて、装置の内側から外側に向く傾斜に形成されている。  
第２媒体すくい部６４、第１媒体すくい部６２によってすくい上げた用紙Ｐの側縁Ｅａが、スライド部５４と媒体支持部材２３の支持面２３ａとの間に入り込む虞を低減し、用紙Ｐの側縁Ｅａをスムースにスライド部５４上に誘うことができる。
【００５１】
加えて、先細りの斜面に形成された第１媒体すくい部６２、及び用紙Ｐの搬送方向と交差する方向に斜めに形成された第２媒体すくい部６４は、用紙Ｐの側縁Ｅａに接触する際に点接触するので、用紙Ｐの側縁Ｅａに接触して用紙Ｐをすくう際に用紙Ｐの下に入り込み易くなる。以って、スライド部５４と媒体支持部材２３の支持面２３ａの間への用紙Ｐの側縁Ｅａの挟み込みの虞を一層低減できる。
【００５２】
尚、上記実施例では、スライド移動する一対のエッジガイド５０ａ、エッジガイド５０ｂのうち、エッジガイド５０ｂよりも用紙Ｐの幅方向への変位量が大きいエッジガイド５０ａのスライド部５４に媒体すくい部６０を設ける構成としたが、これに限られるものではない。エッジガイド５０ａ、５０ｂのスライド部５４、５７のそれぞれに媒体すくい部６０を設けることもできる。    また、例えばエッジガイド５０ｂがプリンターの装置前面側から見て左側の位置に固定されており、用紙Ｐの側縁Ｅｂを規制部５２ｂに合わせて位置決めの基準とする片寄せ方式で用紙Ｐが給紙される記録装置において、スライド移動するエッジガイド５０ａ側に媒体すくい部６０を設けることができる。  
また、本実施形態において第１媒体すくい部６２は、媒体支持部材２３の支持面２３ａの背面側に設けられているが、支持面２３ａ上に設けられていてもよい。
【００５３】
［実施例２］
実施例２では、図１１に基づき、媒体すくい部の他の例について説明する。  
図１１（Ａ）は、媒体すくい部の接触開始位置が媒体支持部材の下流側にある場合を表す図、図１１（Ｂ）は媒体すくい部の接触開始位置が媒体支持部材の上流側と下流側にある場合を表す図である。本実施例において実施例１と同一の構成については同一の符号を付し、その構成の説明は省略する。
【００５４】
本実施形態では、エッジガイド５０ａのスライド部５４に設けられる媒体すくい部７０が、用紙Ｐの側縁Ｅａとの接触開始位置７０ａが媒体支持部材２３の下流側（＋Ｙ側）になるように構成されている。  
尚、本実施形態の媒体すくい部７０において、接触開始位置７０ａは媒体支持部材２３の支持面２３ａ上にあり、媒体すくい部７０は、接触開始位置７０ａから上流側に向けて装置の内側から外側に向く傾斜に形成されている。
【００５５】
媒体すくい部７０の用紙Ｐの側縁Ｅａとの７０ａが媒体支持部材２３の下流側に設けられていることにより、例えば用紙Ｐの媒体搬送方向に沿う辺、すなわち側縁Ｅａの辺の長さが短く、用紙Ｐの上流側端部が、媒体支持部材２３の上流側端部にまで届かない場合でも、媒体すくい部７０によって用紙Ｐをすくうことができる。
【００５６】
尚、本発明に係る媒体すくい部は、実施例１のように媒体支持部材２３の上流側のみに用紙Ｐの側縁Ｅａとの接触開始位置がある場合や、実施例２のように下流側のみに用紙Ｐの側縁Ｅａとの接触開始位置がある場合に限られず、図１１（Ｂ）に示すように、媒体支持部材２３の上流側及び下流側の両方に接触開始位置８０ａ、８０ｂを備える媒体すくい部８０のように構成することも可能である。  
また、本実施形態においても実施例１のように、媒体支持部材２３の下流側端部よりも更に下流側において、媒体支持部材２３の背面側から用紙Ｐの側縁Ｅａをすくう第１媒体すくい部を設けることが可能である。
【００５７】
［実施例３］
実施例３では、図１２に基づき、媒体すくい部の更に他の例について説明する。  
図１２（Ａ）は、媒体すくい部の接触開始位置が媒体支持部材の媒体搬送方向中央部にある場合を表す図であり、図１２（Ｂ）は、図１２（Ａ）のｃ−ｃ断面図である。本実施例において実施例１または実施例２と同一の構成については同一の符号を付し、その構成の説明は省略する。
【００５８】
実施例１において、媒体すくい部６０における用紙Ｐの側端Ｅａとの接触開始位置となる第１媒体すくい部６２は、媒体支持部材２３の上流側端部よりも更に上流側であって、媒体支持部材２３の支持面２３ａよりも媒体支持部材２３の背面側に設けられていた（図９）。  
本実施形態では、媒体すくい部９０の用紙Ｐの側端Ｅａとの接触開始位置が、媒体支持部材２３の媒体搬送方向中央部に設けられている。
【００５９】
具体的には、図１２（Ａ）に示すように、媒体支持部材９２がその媒体搬送方向中央部に凹部９６を備え、媒体すくい部９０は、凹部９６に向けて傾斜する第１媒体すくい部９４と、第１媒体すくい部９４と連なる位置から、媒体搬送方向と交差する方向に斜めに形成される第２媒体すくい部９８を備えている。第１媒体すくい部９４が、媒体すくい部９０における用紙Ｐの側端Ｅａとの接触開始位置となる。  
媒体支持部材９２の凹部９６に向けて傾斜する第１媒体すくい部９４によって、媒体支持部材９２の支持面９２ａよりも媒体支持部材９２の背面側から用紙Ｐの側端Ｅａをすくう構成[図１２（Ｂ）を参照]とすることができる。
【００６０】
尚、本実施形態において、第１媒体すくい部９４は、樹脂等の材料によりスライド部５４と一体に形成されているが、例えば樹脂フィルム等により形成した第１媒体すくい部９４をスライド部５４の−Ｘ側の端部に設けることもできる。
【００６１】
また、スライド部５４に設けられる第１媒体すくい部９４は、本実施形態のように一つでもよいが、媒体支持部材９２に複数の凹部９６を設けるとともに、複数の第１媒体すくい部９４と、複数の第１媒体すくい部９４同士の間に設けられる第２媒体すくい部９８とによって媒体すくい部９０を構成し、平面視において櫛歯状に形成された媒体すくい部とすることも可能である。
【００６２】
次に、プリンター１０における他の構成について説明する。  
＜＜パネルの保持構成について＞＞
以下において、パネルの保持構成について図４及び図１３を参照して説明する。図１３は、図１の要部拡大断面図である。  
パネル１４は、図４に示すように、表示部２８の裏側（以下、パネル１４の背面と称する場合がある）に、本体上部１２側に設けられる被係合部と係合することによりパネル１４を開いた状態に維持するアーム１００を備えている。
【００６３】
アーム１００は、その一端側が、パネル１４の背面側に設けられる回動軸１０２を中心として回動する。またアーム１００は、その他端側に装置本体部１１の上面側の凹部１０４に設けられる複数の被係合部１０６（１０６ａ、１０６ｂ、１０６ｃ、１０６ｄ）のそれぞれに対して係合可能な係合部１０８を備えている。
【００６４】
複数の被係合部１０６は、凹部１０４に長手方向に沿って設けられており、係合部１０８が係合する被係合部１０６を変えることにより、パネル１４の開き角度（装置本体部１１の上面とパネル１４の背面とが成す角度）を変えて傾斜姿勢を保持できるようになっており、ユーザーが操作し易い角度にパネル１４の開き角度を変更可能に構成されている。具体的には、アーム１００の係合部１０８が、パネル１４の回動軸１１０に対して最も近くに位置する被係合部１０６ａと係合したときにパネル１４の開き角度は最大になり、回動軸１１０に対して最も遠くに位置する被係合部１０６ｄと係合したときにパネル１４の開き角度は最小になる。  
尚、パネル１４が装置本体部１１の上面に対して閉じた状態となった際には、アーム１００は凹部１０４に収納されるようになっている。
【００６５】
また、パネル１４の背面において、回動軸１１０が設けられていない側の短辺には、緩衝材１１２が設けられている。すなわち、回動するパネル１４の先端に緩衝材１１２が設けられている。  
緩衝材１１２によって、パネル１４が閉状態にされるときに、装置本体部１１の上面に対してパネル１４の背面が当たって発生する音や振動を緩和することができる。  
このことによって、プリンター１０の記録動作時に意図せずパネル１４が閉状態になった場合に、装置が振動することによる記録動作への影響を軽減することができる。
【００６６】
＜＜給紙カバー及び排紙カバーについて＞＞  
以下において、給紙カバー１６及び排紙カバー１８の構成について図１４〜図１６を参照して説明する。図１４（Ａ）は、（装置本体部に設けられる排紙カバーのロック機構について説明する図、図１４（Ｂ）は、図１４（Ａ）の装置本体部を取り外した状態を表す図である。図１５（Ａ）は、図１４（Ａ）の要部拡大図、図１５（Ｂ）は、図１５（Ａ）を装置背面側から見た図である。図１６は、図１５（Ａ）のｄ−ｄ矢視断面図である。  
前述したように、プリンター１０（図１、図２を参照）には、装置本体部１１の上面の後方側を開閉する給紙カバー１６及び装置本体部１１の前面側に開閉する排紙カバー１８が設けられている。給紙カバー１６及び排紙カバー１８は、それぞれ、装置本体部１１側に設けられるロック機構により装置本体部１１に対して閉状態を保持してロックされるように構成されている。
【００６７】
前記ロック機構の具体的構造について、排紙カバー１８を例に挙げて説明する。  
プリンター１０において排紙カバー１８のロック機構１２０は、図１４（Ａ）に示すように、装置前面側から見て排紙カバー１８の右側の装置本体部１１に設けられている。  
排紙カバー１８は、回動軸１８ａを中心として回動して装置本体部１１の前面側を開閉する。ロック機構１２０は、図１５（Ａ）及び図１５（Ｂ）に示すように、ロックピン１２２とロックピン１２２を保持するホルダー１２４を備え、ロックピン１２２は、付勢手段としての圧縮バネ１２６により排紙カバー１８側（図における−Ｘ方向）に付勢されている。
【００６８】
排紙カバー１８にはロックピン係合部１２８（図１６を参照）が設けられており、ロックピン１２２の先端がロックピン係合部１２８と係合することにより、排紙カバー１８が装置本体部１１に対して閉状態でロックされる。  
より具体的には、排紙カバー１８が開状態から閉状態にされる際には、閉まる排紙カバー１８がロックピン１２２を押して圧縮バネ１２６が圧縮され、ロックピン１２２が＋Ｘ方向に一旦退出する。排紙カバー１８が完全に閉じると、圧縮バネ１２６の前記圧縮が開放されるとともに、圧縮バネ１２６により付勢されたロックピン１２２がロックピン係合部１２８にはまってロックされる。  
排紙カバー１８を開く際には、開く排紙カバー１８にロックピン１２２が押されて圧縮バネ１２６が圧縮され、ロックピン１２２が＋Ｘ方向に退出することによってロックが外れるように構成されている。排紙カバー１８が開いた後は、圧縮バネ１２６の前記圧縮が開放されるとともに、ロックピン１２２は圧縮バネ１２６の付勢力によりロック時の位置に戻る。
【００６９】
ここで、排紙カバー１８を閉状態から開状態にするためにロックを外す場合、或いは排紙カバー１８を開状態から閉状態にしてロックする場合に、前述のように圧縮バネ１２６が圧縮状態から開放される際に生じる振動により、圧縮バネ１２６が共鳴し、共鳴音が発生する場合がある。  
この共鳴音を抑制するため、ホルダー１２４には圧縮バネ１２６に接触する干渉部１３０が設けられている。ホルダー１２４は例えば樹脂により形成され、図１５（Ｂ）に示すように干渉部１３０を一体的に形成することができる。  
また、樹脂等により形成されるホルダー１２４に、樹脂とは異なる材料で形成した干渉部１３０を取り付けてもよい。
【００７０】
ホルダー１２４に干渉部１３０が設けられていることにより、圧縮バネ１２６が圧縮状態から開放された際に生じる振動を抑えられるので、共鳴音の発生を抑制することができる。
【００７１】
尚、本発明は上記実施形態に限定されることなく、特許請求の範囲に記載した発明の範囲内で種々の変形が可能であり、それらも本発明の範囲内に含まれるものであることは言うまでもない。
【符号の説明】
【００７２】
１０  プリンター、１１  装置本体部、１２  本体上部、１３  本体下部、
１４  パネル、１５ａ、１５ｂ  操作ボタン、１６  給紙カバー、
１８  排紙カバー、２０  ハンドル、２２  媒体セット部、２３  媒体支持部材、
２３ａ  支持面（媒体支持面）、２４ａ  第１スライド板、
２４ｂ  第２スライド板、２６  ペーパーサポート、２７  収納部、
２８  表示部、３０  記録ヘッド、３２  キャリッジ、３４  液体収納体、
３６  給紙ローラー、３８ａ  搬送駆動ローラー、３８ｂ  搬送従動ローラー、
４０  搬送ローラー対、４１  用紙排出部、４２  プラテン、
４４ａ  排出駆動ローラー、４４ｂ  排出従動ローラー、４６  排出ローラー対、
４８  回転体、５０ａ、５０ｂ  エッジガイド、５１ａ  ラック部、
５１ｂ  アーム部、５２ａ、５２ｂ  規制部、５３ａ  ラック部、５３ｂ  アーム部、
５４  スライド部、５５  ピニオン、５６  サブエッジガイド、５８  ガイド部、
６０  媒体すくい部、６２  第１媒体すくい部、６４  第２媒体すくい部、
７０  媒体すくい部、７０ａ  接触開始位置、８０  媒体すくい部、
８０ａ、８０ｂ  接触開始位置、９０  媒体すくい部、９２  媒体支持部材、
９４第１媒体すくい部、９６  凹部、９８  第２媒体すくい部、
１００  アーム、１０２  回動軸、１０４  凹部、
１０６、１０６ａ、１０６ｂ、１０６ｃ、１０６ｄ  被係合部、
１０８  係合部、１１０  回動軸、１１２  緩衝材、
１２０  ロック機構、１２２  ロックピン、１２４  ホルダー、
１２６  圧縮バネ、１２８  ロックピン係合部、１３０  干渉部、
Ｐ  用紙（被記録媒体）、Ｅａ、Ｅｂ  側縁
【図１】
2017024824.tif 000003
【図２】
2017024824.tif 000004
【図３】
2017024824.tif 000005
【図４】
2017024824.tif 000006
【図５】
2017024824.tif 000007
【図６】
2017024824.tif 000008
【図７】
2017024824.tif 000009
【図８】
2017024824.tif 000010
【図９】
2017024824.tif 000011
【図１０】
2017024824.tif 000012
【図１１】
2017024824.tif 000013
【図１２】
2017024824.tif 000014
【図１３】
2017024824.tif 000015
【図１４】
2017024824.tif 000016
【図１５】
2017024824.tif 000017
【図１６】
2017024824.tif 000018